(57)【要約】【課題】電波の受信状態の悪い場所に据え付けられた一般に市販されている電波時計であっても、標準電波による自動補正機能を利用可能とする電波時計用レピータ、電波時計用レピータシステムおよび電波時計用レピータを用いた電波時計の精度補正方法を提供する。【解決手段】電波時計用レピータ１は、前記受信した標準電波と同じタイムコード体系を有し前記受信した第１の標準電波周波数とは異なる第２の標準電波周波数に前記受信した標準電波を変換するための周波数変換手段１３と、前記第２の標準電波周波数に変換した標準電波を送信するための標準電波送信手段１４と、前記第２の標準電波周波数に変換した標準電波を送信する時間を設定するための送信時刻設定手段１６とを備え、前記第２の標準電波周波数の標準電波を受信するように設定された電波時計２に送信する。【選択図】    図１
2006046989.tif 000002
【特許請求の範囲】
【請求項１】
受信状態の悪い場所に設置された電波時計（２）に対して受信した長波帯の標準電波を自動中継する電波時計用レピータにおいて、
前記電波時計用レピータ（１）は、受信状態の良い場所に設置されるとともに、前記受信した標準電波と同じタイムコード体系を有し前記受信した第１の標準電波周波数とは異なる第２の標準電波周波数に前記受信した標準電波を変換するための周波数変換手段（１３）と、
前記第２の標準電波周波数に変換した標準電波を送信するための標準電波送信手段（１４）と、を備えていることを特徴とする電波時計用レピータ。
【請求項２】
前記電波時計用レピータ（１）は、前記第２の標準電波周波数に変換した標準電波を送信する時間を設定するための送信時刻設定手段（１６）を備えていることを特徴とする請求項１に記載の電波時計用レピータ。
【請求項３】
前記第１の標準電波周波数および第２の標準電波周波数の一方は４０ｋＨｚであり、他方は６０ｋＨｚであることを特徴とする請求項１または２に記載の電波時計用レピータ。
【請求項４】
受信状態の悪い場所に設置された電波時計（２）と、前記電波時計（２）に対して受信した長波帯の標準電波を自動中継する電波時計用レピータ（１）と、からなる電波時計用レピータシステムにおいて、
前記電波時計用レピータ（１）は請求項１乃至３に記載の電波時計用レピータであり、
前記電波時計（２）は、前記電波時計用レピータ（１）から送信された前記第２の標準電波周波数に変換された標準電波を受信可能な電波時計であることを特徴とする電波時計用レピータシステム。
【請求項５】
受信状態の悪い場所に設置された電波時計（２）に対して受信した長波帯の標準電波を自動中継する電波時計用レピータを用いた電波時計の精度補正方法であって、
前記電波時計（２）が標準電波を受信する時間に、標準電波を受信するステップ（ＳＴ１）と、
前記受信した標準電波と同じタイムコード体系を保ったまま、前記受信した標準電波を、前記受信した第１の標準電波周波数とは異なる第２の標準電波周波数に変換するステップ（ＳＴ２）と、
前記第２の標準電波周波数に変換した標準電波を送信するステップ（ＳＴ３）と、
前記第２の標準電波周波数の標準電波を受信することが可能な前記電波時計（２）により、前記第２の標準電波周波数に変換した標準電波を受信するステップ（ＳＴ４）と、
前記電波時計（２）が受信した前記第２の標準電波周波数に変換した標準電波のタイムコードに基づいて、前記電波時計（２）の表示時刻の自動補正を行うステップ（ＳＴ５）と、を有することを特徴とする電波時計用レピータを用いた電波時計の精度補正方法。
【発明の詳細な説明】
【技術分野】
【０００１】
本発明は、電波の受信状態の悪い場所でも電波時計を利用出来るようにするための、長波帯の標準電波を自動中継する電波時計用レピータ、電波時計用レピータシステムおよび電波時計用レピータを用いた電波時計の精度補正方法に関する。
【背景技術】
【０００２】
電波時計は、東日本では福島県の大鷹鳥谷（おおたかどや）山の長波帯標準電波送信所（通称福島局）から発せられる搬送波４０ｋＨｚの、西日本では福岡県と佐賀県境にある羽金（はがね）山の長波帯標準電波送信所（通称九州局）から発せられる搬送波６０ｋＨｚの標準電波（ＪＪＹ）のタイムコードを受信して精度補正を行う物である。
図４は、従来技術および本発明が対象とする据え置きタイプの電波時計に設けられている受信電波の周波数切換スイッチの例を示す説明図である。
図４において、２１は周波数切換スイッチである。
４０ｋＨｚと６０ｋＨｚに対応した電波時計の場合、腕時計タイプの電波時計は自動的に電波の強い方を受信する機能を有しているのに対して、据え置きタイプの電波時計の場合は、一般に図４に示す様な受信周波数切換スイッチ２１を有し、使用する地域によって４０ｋＨｚと６０ｋＨｚを切換えて使用している。
しかしながら、電波時計は長波を用いたものであり、特に掛け時計などは場所を選ぶため、鉄筋のビルの中など設置場所によっては、電波が届かないために標準電波による表示時刻の自動補正機能を利用することが出来なかった。この問題に対して、電波時計としては、もっぱら受信感度を上げるしか対策が無かった。
そこで、標準時刻電波を受信し、受信した標準時刻電波の周波数を時刻コードとしては判別できない範囲内で、ずらして送信する時刻信号中継装置が考えられてきた。（例えば、特許文献１参照）。
【特許文献１】特開２０００−１４７１７０号公報  （第１図）
【発明の開示】
【発明が解決しようとする課題】
【０００３】
前述したように、鉄筋のビルの中など受信状態が悪い場所にある電波時計は、標準電波による表示時刻の自動補正が出来ないため、腕時計などの場合は、一日に１回は窓際の受信状態の良い場所で標準電波を受信させるようなことを行っている。しかしながら、掛け時計の場合はその様な事は行えないため、電波時計としての機能は利用できず、単なるクオーツ時計としてしか動作していないという問題があった。
一方、特許文献１で開示されている時刻信号中継装置を用いる場合は、時刻信号中継装置が送信した「ずらした周波数」から時刻コードを判別する機能を有する専用の電波時計でないと対応できないという問題があった。
本発明はこのような問題点に鑑みてなされたものであり、電波の受信状態の悪い場所に据え付けられた一般に市販されている電波時計であっても、標準電波による自動補正機能を利用可能とすることができる電波時計用レピータ、電波時計用レピータシステムおよび電波時計用レピータを用いた電波時計の精度補正方法を提供することを目的とする。
【課題を解決するための手段】
【０００４】
本発明は、電波時計の受信周波数が２波有ることに着眼し、東日本では福島局からの４０ｋＨｚの標準電波を受信状態の良い窓等の場所で受信し、これを西日本の九州局からの６０ｋＨｚの周波数で送出し、室内の電波状態の悪い場所に据え付けられた目標となる電波時計の受信周波数を西日本の九州局の周波数に合わせておくことにより、レピータシステムを構築出来ることに着眼したものである。
すなわち、上記問題を解決する為、請求項１に記載の発明は、受信状態の悪い場所に設置された電波時計に対して受信した長波帯の標準電波を自動中継する電波時計用レピータにおいて、前記電波時計用レピータは、受信状態の良い場所に設置されるとともに、前記受信した標準電波と同じタイムコード体系を有し前記受信した第１の標準電波周波数とは異なる第２の標準電波周波数に前記受信した標準電波を変換するための周波数変換手段と、  前記第２の標準電波周波数に変換した標準電波を送信するための標準電波送信手段と、を備えていることを特徴としている。
また、請求項２に記載の発明は、請求項１に記載の発明において、前記電波時計用レピータは、前記第２の標準電波周波数に変換した標準電波を送信する時間を設定するための送信時刻設定手段を備えていることを特徴としている。
また、請求項３に記載の発明は、請求項１または２に記載の電波時計用レピータにおいて、前記第１の標準電波周波数および第２の標準電波周波数の一方は４０ｋＨｚであり、他方は６０ｋＨｚであることを特徴としている。
また、請求項４に記載の発明は、受信状態の悪い場所に設置された電波時計と、前記電波時計に対して受信した長波帯の標準電波を自動中継する電波時計用レピータと、からなる電波時計用レピータシステムにおいて、前記電波時計用レピータは請求項１乃至３に記載の電波時計用レピータであり、前記電波時計は、前記電波時計用レピータから送信された前記第２の標準電波周波数に変換された標準電波を受信可能な電波時計であることを特徴としている。
また、請求項５に記載の発明は、受信状態の悪い場所に設置された電波時計に対して受信した長波帯の標準電波を自動中継する電波時計用レピータを用いた電波時計の精度補正方法であって、前記電波時計が標準電波を受信する時間に、標準電波を受信するステップと、前記受信した標準電波と同じタイムコード体系を保ったまま、前記受信した標準電波を、前記受信した第１の標準電波周波数とは異なる第２の標準電波周波数に変換するステップと、前記第２の標準電波周波数に変換した標準電波を送信するステップと、前記第２の標準電波周波数の標準電波を受信することが可能な前記電波時計により、前記第２の標準電波周波数に変換した標準電波を受信するステップと、前記電波時計が受信した前記第２の標準電波周波数に変換した標準電波のタイムコードに基づいて、前記電波時計の表示時刻の自動補正を行うステップと、を有することを特徴としている。
【発明の効果】
【０００５】
請求項１に記載の発明によれば、電波時計用レピータは、第２の標準電波周波数に変換するための周波数変換手段と、第２の標準電波周波数に変換した標準電波を送信するための標準電波送信手段を備える構成としているので、鉄筋のビルの中など、電波の受信状態の悪い場所に据え付けられた電波時計であっても、標準電波による自動補正機能を利用することが可能となり、精度の高い時刻表示ができる。
また、請求項２に記載の発明によれば、第２の標準電波周波数に変換した標準電波を送信する時間を設定するための送信時刻設定手段を備える構成としているので、電波時計用レピータは、送信時刻設定部の設定により電波時計が受信する時間だけ電波を出すことができ、これにより電波時計用レピータの電池の消耗を減ずることが出来る。
また、請求項３に記載の発明によれば、第１の標準電波周波数および第２の標準電波周波数の一方は４０ｋＨｚであり、他方は６０ｋＨｚとしているので、日本国内で一般に市販されている電波時計が有している「標準電波による自動補正機能」を利用することが可能である。
また、請求項４に記載の発明によれば、請求項１乃至３に記載の電波時計用レピータと、  電波時計用レピータから送信された第２の標準電波周波数に変換された標準電波を受信可能な電波時計とを用いることにより、受信状態が悪い場所に設置された電波時計が存在しても、標準電波による自動補正機能を利用して、精度の高い時刻表示を可能とする電波時計用レピータシステムを構築できる。
また、請求項５に記載の発明によれば、電波時計用レピータからの第２の標準電波周波数に変換した標準電波を受信し、この標準電波のタイムコードに基づいて電波時計の表示時刻の自動補正を行う方法としているので、受信状態が悪い場所に設置された電波時計であっても、標準電波による自動補正機能の利用が可能となり、精度の高い時刻表示を可能である。
【発明を実施するための最良の形態】
【０００６】
以下、本発明の具体的実施例について、図に基づいて説明する。
【実施例１】
【０００７】
図１は、本発明の電波時計用レピータの構成を示すブロック図である。
図１において、１は電波時計用レピータ、１１は標準電波受信部、１２は受信アンテナ、１３は４０ｋＨｚ／６０ｋＨｚ周波数変換部、１４は標準電波送信部、１５は送信アンテナ、１６は送信時刻設定部、１７は表示時刻補正部、１８は時刻表示部である。
本発明の電波時計用レピータの特徴とする点は、電波時計用レピータ１は、電波時計としての構成要素のほかに、受信した標準電波の搬送周波数を前記受信した標準電波周波数とは異なる第２の標準電波周波数に変換するための４０ｋＨｚ／６０ｋＨｚ周波数変換部１３と、前記第２の標準電波周波数に変換した標準電波を送信するための標準電波送信部１４と、前記第２の標準電波周波数に変換した標準電波を送信する時間を設定するための送信時刻設定部１６とを備えている点である。
以下、図１を用いて本発明の電波時計用レピータの機能を説明する。
送信時刻設定部１６で設定された電波時計２が標準電波を受信する時間に、電波時計用レピータ１は一般の電波時計と同様に、長波帯標準電波送信所からの４０ｋＨｚ（または６０ｋＨｚ）の標準電波（ＪＪＹ）を受信アンテナ１２を介して標準電波受信部１１で受信し、時刻表示部１８に表示している時刻の誤差補正を表示時刻補正部１７で行う。同時に、標準電波受信部１１で受信した標準電波の周波数を、受信した標準電波の周波数とは異なる長波帯標準電波送信所からの標準電波周波数である６０ｋＨｚ（または４０ｋＨｚ）に４０ｋＨｚ／６０ｋＨｚ周波数変換部１３で変換し、この周波数変換した標準電波を標準電波送信部１４から送信アンテナ１５を介して送信する。
【０００８】
図２は、本発明の電波時計用レピータの動作を示す説明図であり、受信状態の良い出窓に置いた電波時計用レピータ１が福島局すなわち大鷹鳥谷山からの４０ｋＨｚの標準電波を受信し、受信状態の悪い室内に据え付けられた掛け時計である電波時計２へ九州局の周波数である６０ｋＨｚの標準電波に変換して送信している事を示している。
図２において、２は掛け時計であり、一般に市販されている据え付けタイプの電波時計である。
また、図３は本発明の電波時計用レピータを用いた電波時計の精度補正方法を示すフローチャートである。
以下、図２および図３を用いて、本発明の電波時計用レピータの動作を説明する。
対象とする電波時計２が標準電波（ＪＪＹ）を受信する時間、すなわち送信時刻設定部１６で設定された時間に、電波状態の良いビルの出窓などに置かれた電波時計用レピータ１は、福島局、すなわち大鷹鳥谷山の長波帯標準電波送信所からの４０ｋＨｚの標準電波（ＪＪＹ）を受信する（ステップＳＴ１）と供に、この受信した４０ｋＨｚの標準電波の搬送周波数を、九州局、すなわち羽金山の長波帯標準電波送信所から送信される標準電波の搬送周波数と同じ６０ｋＨｚに標準電波の情報を受信した標準電波（ＪＪＹ）と同じタイムコード体系を保って変換して（ステップＳＴ２）、６０ｋＨｚに変換した標準電波を送信する（ステップＳＴ３）。
一方、受信状態の悪いビルなどの中に据え付けられている掛け時計などの電波時計２は、受信周波数切換スイッチ２１により、受信周波数を電波時計用レピータ１が受信する大鷹鳥谷山の長波帯標準電波送信所からの周波数とは異なる羽金山の長波帯標準電波送信所から送信される標準電波の周波数である６０ｋＨｚに設定することにより、電波時計用レピータ１が送信した６０ｋＨｚに変換した標準電波を受信しタイムコード情報を取得する（ステップＳＴ４）ことにより、電波時計２はこの取得したタイムコードに基づいて表示時刻の自動補正を行う（ステップＳＴ５）ことが可能となる。
電波時計用レピータ１と電波時計２の位置は近いので距離による時間誤差は使用には問題が無い。尚、常に標準電波の周波数を変換して送信すると電波時計用レピータ１の電池の消耗が大きいので、電波時計用レピータ１は、送信時刻設定部１６の設定により電波時計２が受信する時間だけ電波を出す。また、図２では電波時計２を１台だけで示しているが、電波時計２の台数や、送信時刻設定部１６への設定時間の設定数は問わない。
【０００９】
以上述べたように、本発明の実施例に係る電波時計用レピータは、受信した第１の標準電波周波数とは異なる第２の標準電波周波数に変換するための周波数変換手段１３と、前記第２の標準電波周波数に変換した標準電波を送信するための標準電波送信手段１４と、前記第２の標準電波周波数に変換した標準電波を送信する時間を設定するための送信時刻設定手段１６とを備えており、また、本発明の実施例に係る電波時計用レピータシステムおよび電波時計用レピータを用いた電波時計の精度補正方法は、受信した標準電波と同じタイムコード体系を保ったまま、標準電波を受信した標準電波周波数とは異なる第２の標準電波周波数に変換し、第２の標準電波周波数の標準電波を受信するように設定された対象とする電波時計２が標準電波を受信するその時間に同期して、前記第２の標準電波周波数に変換した標準電波を送信するようにしている。そのため、対象とする電波時計２は、第２の標準電波周波数に変換した標準電波を受信し、この受信した第２の標準電波周波数に変換した標準電波から取得したタイムコードに基づき表示時刻の自動補正を行うことができる。このように、本発明の電波時計用レピータ、電波時計用レピータシステムまたは電波時計用レピータを用いた電波時計の精度補正方法を用いることにより、４０ｋＨｚと６０ｋＨｚに対応し、４０ｋＨｚと６０ｋＨｚの周波数の切換えが可能な電波時計２、あるいは電波時計用レピータ１が送信する周波数の標準電波が受信可能な電波時計２であれば、受信状態の悪い鉄筋ビルなどの中で使用する電波時計であっても、標準電波による時刻の自動補正が可能となり、精度の高い時刻表示ができる。
【産業上の利用可能性】
【００１０】
本発明は、鉄筋ビルに限らず受信状態の悪い場所で用いられる電波時計に対して適用が可能である。また、据え付けタイプ以外の電波時計に対しても適用が可能である。
【図面の簡単な説明】
【００１１】
【図１】本発明の電波時計用レピータの構成を示すブロック図
【図２】本発明の電波時計用レピータの動作を示す説明図
【図３】本発明の電波時計用レピータを用いた電波時計の精度補正方法を示すフローチャート
【図４】従来技術および本発明が対象とする据え置きタイプの電波時計に設けられている受信電波の周波数切換スイッチの例を示す説明図
【符号の説明】
【００１２】
１  電波時計用レピータ
２  電波時計
１１  標準電波受信部
１２  受信アンテナ
１３  ４０ｋＨｚ／６０ｋＨｚ周波数変換部
１４  標準電波送信部
１５  送信アンテナ
１６  送信時刻設定部
１７  表示時刻補正部
１８  時刻表示部
２１  周波数切換スイッチ
【図１】
2006046989.tif 000003
【図２】
2006046989.tif 000004
【図３】
2006046989.tif 000005
【図４】
2006046989.tif 000006